(57)【特許請求の範囲】
【請求項１】
複数の建築板が階段状に重ねられて構造物下地に施工された建築板の施工構造であって、
前記建築板の裏側に配置された断熱材を備え、
前記断熱材は、
階段方向に隣り合う前記建築板の重なり部分に挟まれた第１部分と、
前記第１部分とは別部材であって前記第１部分に接し、該第１部分の表側の前記建築板と前記構造物下地との間に配置され、裏面が前記構造物下地の表面に沿った第２部分と、を有し、
前記第１部分及び前記第２部分は、隣り合う前記建築板及び前記構造物下地で囲まれた領域の全体に亘っていることを特徴とする建築板の施工構造。
【請求項２】
請求項１に記載の建築板の施工構造において、
前記第２部分は、前記構造物下地に載置された
ことを特徴とする建築板の施工構造。
【請求項３】
請求項１又は請求項２に記載の建築板の施工構造において、
前記断熱材の裏側に配置された前記建築板上に設置されて前記断熱材の表側の前記建築板において前記断熱材の裏側に配置された建築板と重なる端部を持ち上げて支持する支持部と、
前記断熱材及び該断熱材の表側に配置された前記建築板の前記端部と対向するように前記支持部から立ち上がる立ち上がり部とを備えた支持部材を備える
ことを特徴とする建築板の施工構造。
【発明の詳細な説明】
【技術分野】
【０００１】
本発明は、建築板の施工構造に関し、詳しくは複数の建築板が階段状に重ねられて構造物下地に施工された建築板の施工構造に関する。
【背景技術】
【０００２】
特許文献１には、平板屋根材が軒側から棟側に向かって重ね葺きされた施工構造が開示されている。
【先行技術文献】
【特許文献】
【０００３】
【特許文献１】特開２０１２−２４６７０８号公報
【発明の概要】
【発明が解決しようとする課題】
【０００４】
ところで、特許文献１に開示された平板屋根材の施工構造においては、平板屋根材が軒側の平板屋根材に直接重ね合わされるため、断熱性が優れない。
【０００５】
本発明は前記事情に鑑みてなされたものであって、断熱性に優れた建築板の施工構造を提供することを目的とする。
【課題を解決するための手段】
【０００６】
前記目的を達成するために本発明に係る一態様の建築板の施工構造は、複数の建築板が階段状に重ねられて構造物下地に施工された建築板の施工構造であって、前記建築板の裏側に配置された断熱材を備えたことを特徴とする。
【発明の効果】
【０００７】
本発明に係る建築板の施工構造は、建築板の裏側に配置された断熱材により、断熱性が高まる。また、建築板の施工時や改修時において作業者により建築板が踏まれたりしても、建築板が割れ難くなる。
【図面の簡単な説明】
【０００８】
【図１】図１は、本発明に係る一実施形態の建築板の施工構造を示した側断面図である。
【図２】図２Ａは、同上の施工構造の軒側から見た正面図であり、図２Ｂは図２ＡのＣ部拡大図である。
【図３】図３Ａは図１ＡのＡ部拡大図であり、図３Ｂは図１のＢ部拡大図である。
【図４】図４Ａ〜図４Ｄは、同上の建築板の施工構造に用いられる支持部材（支持部材）であって、図４Ａは正面図であり、図４Ｂは側面図であり、図４Ｃは図４ＡのＤ部拡大図であり、図４Ｄは図４ＡのＥ−Ｅ線断面図である。
【発明を実施するための形態】
【０００９】
以下、添付図面に基づいて、本実施形態の建築板の施工構造について説明する。
【００１０】
図１に示す本実施形態の建築板の施工構造は、構造物下地と、複数の建築板と、複数の支持部材３と、複数の断熱材５と、複数の固着具６，７とを備えている。本実施形態の建築板は、屋根板２であって、構造物下地は野地板で構成された屋根下地１である。複数の屋根板２は、階段状に重ねられて屋根下地１に施工されている。また、本実施形態の建築板の施工構造では、複数の屋根板２が階段方向と直交する方向に突付け施工されている。ここで、「階段方向」とは、階段状に重ねられた複数の屋根板２が並ぶ方向であり、本実施形態では後述する軒棟方向である。
【００１１】
（建築板）
本実施形態の屋根板２は、平板状のスレート瓦であって、セメント系成形材料を成形し、養生硬化することで製造される。
【００１２】
複数の屋根板２は、図２に示すように、屋根下地１上に、軒棟方向と軒方向との両方向に並んだ状態で設置されている。ここで、軒棟方向とは屋根の勾配方向であり、軒方向とは軒棟方向と直交する水平方向である。
【００１３】
図１に示すように、複数の屋根板２は、軒棟方向に隣接する屋根板２のうち、軒側の屋根板２（以下、軒側屋根板２ａという）の棟側部分が、棟側の屋根板２（以下、棟側屋根板２ｂという）に表側から覆われるように、屋根下地１上に設置されている。すなわち、軒棟方向に隣接する屋根板２にあっては、一方の屋根板２（軒側屋根板２ａ）の隣接方向他方側（棟側）の部分が、他方の屋根板２（棟側屋根板２ｂ）に表側から覆われるように施工されている。なお、図１及び図２では、便宜上、複数の屋根板２のうち、軒側から数えて２段目の屋根板２を軒側屋根板２ａとし、軒側から数えて３段目の屋根板２を棟側屋根板２ｂとしている。
【００１４】
本実施形態では、図２に示すように軒方向に隣接する屋根板２が、端面同士を突合せて軒方向に突付けた状態で施工されている。以下、軒方向に隣接する屋根板２の突付けた部分を突付け部分２５という。
【００１５】
また、本実施形態の複数の屋根板２は、千鳥状に配置されており、軒棟方向に隣接する屋根板２のうち、軒側屋根板２ａは、棟側屋根板２ｂと、軒方向においてずれた状態で配置されている。
【００１６】
図１に示すように屋根板２は、軒棟方向と軒方向との両者に直交する方向に見て、棟側に隣接した屋根板２と重なって表面が露出しない重なり部２０と、棟側に隣接した屋根板２とは重ならない非重なり部２１とを備えている。
【００１７】
（支持部材）
各屋根板２の軒側端部２２の裏側には、支持部材３が設けられている。本実施形態の建築板の施工構造は、支持部材３として、複数の屋根板２のうち最も軒側に位置する屋根板２（以下、軒端屋根板２ｃという）の裏側に設けられた第１支持部材３ａと、複数の屋根板２のうち軒端屋根板２ｃを除く他の屋根板２の裏側に設けられた第２支持部材３ｂとを備えている。
【００１８】
軒端屋根板２ｃの軒側端部２２は、この裏側の施工面を構成する屋根下地１の表面に第１支持部材３ａを介して施工されている。本実施形態の第１支持部材３ａは、軒方向に複数設けられている。
【００１９】
軒端屋根板２ｃ以外の屋根板２における軒側端部（下段の屋根板２に重ねられる端部）２２は、この裏側の施工面を構成する屋根板２の表面に第２支持部材３ｂを介して施工されている。本実施形態の第２支持部材３ｂは、軒方向に複数設けられている。
【００２０】
（第１支持部材）
第１支持部材３ａは、軒方向に延びており、その長手方向は軒方向と一致している。図４Ａ〜図４Ｄに示す本実施形態の第１支持部材３ａは金属製であって、金属板を曲げ加工して形成されている。
【００２１】
図３Ａに示すように、本実施形態の第１支持部材３ａは、軒端屋根板２ｃの軒側端部２２を裏側から持ち上げて支持する支持部３３と、軒端屋根板２ｃの軒側端部２２と対向するように支持部３３から立ち上がる立ち上がり部３４とを備えている。支持部３３により軒端屋根板２ｃの軒側端部２２が持ち上げられることで、軒端屋根板２ｃは外観上厚く見える。また、立ち上がり部３４は軒端屋根板２ｃの軒側への移動を規制する。
【００２２】
本実施形態の第１支持部材３ａは、図２に示すように、軒端屋根板２ｃと軒方向の幅が同じである。
【００２３】
なお、第１支持部材３ａは、軒端屋根板２ｃよりも軒方向の幅が長く、軒端屋根板２ｃから、軒端屋根板２ｃの軒方向に隣接した軒端屋根板２ｃ（隣接建築板）まで延びていてもよい。また、第１支持部材３ａは、軒端屋根板２ｃよりも軒方向の幅が短くてもよい。
【００２４】
図３Ａに示すように、本実施形態の支持部３３は、軒方向と直交する断面の形状がハット状であり、一対の設置片部３５，３６と、一対の立上片部３７，３８と、支持片部３９とを備えている。
【００２５】
一対の設置片部３５，３６は軒棟方向に離間して配置されている。設置片部３５，３６は屋根下地１の表面に沿った板状に形成されている。
【００２６】
一対の設置片部３５，３６のうち、棟側の設置片部３６は、屋根下地１に固着される固着部を構成している。設置片部３６には、軒方向に並んだ複数の挿通孔４０が形成されている。
【００２７】
挿通孔４０には、釘又はねじからなる固着具６が挿通されており、固着具６は屋根下地１に打入されている。これにより、設置片部３６は屋根下地１に固着され、第１支持部材３ａは屋根下地１に対して固定されている。
【００２８】
一対の立上片部３７，３８は、軒側の設置片部３５の棟側端及び棟側の設置片部３６の軒側端からそれぞれ表側（上側）に向かって延出している。立上片部３７，３８は設置片部３５，３６に対して垂直な板状に形成されている。
【００２９】
支持片部３９は一対の立上片部３７，３８の上端（屋根下地１側とは反対側の端）同士を繋いでおり、軒端屋根板２ｃの軒側端部２２の裏面に沿った板状に形成されている。
【００３０】
軒端屋根板２ｃの軒側端部２２は、支持片部３９に載置されることで、屋根下地１の表面から上方に離れた位置で支持されている。軒端屋根板２ｃは、図１に示すように、軒側端に近い部分ほど屋根下地１の表面から離れるように軒棟方向に対して傾斜している。
【００３１】
図３Ａに示すように、第１支持部材３ａが備えた立ち上がり部３４は、支持部３３の軒側端に繋がっている。本実施形態の立ち上がり部３４は、軒端屋根板２ｃの軒側端部２２及びこの裏側に形成された隙間８（軒端屋根板２ｃの軒側端部２２と屋根下地１との間）を軒側からカバーする。
【００３２】
本実施形態の立ち上がり部３４は、軒方向と直交する断面の形状が、逆Ｌ字状に形成されており、軒側の設置片部３５の軒側端から表側（上側）に向かって延出した立ち上がり片部４１と、立ち上がり片部４１の上端から棟側に向かって延出した押え片部４２とを備えている。
【００３３】
立ち上がり片部４１は、軒側の立上片部３７と略平行な板状に形成されている。立ち上がり部４１は、軒端屋根板２ｃ及び隙間８の軒側に位置し、軒端屋根板２ｃの軒側端面と立上片部３７とに対向している。軒端屋根板２ｃの軒側端部２２及び隙間８は、立ち上がり部４１により、軒側からカバーされている。
【００３４】
押え片部４２は支持片部３９と略平行な板状に形成されており、支持片部３９よりも上方に位置している。
【００３５】
第１支持部材３ａには、押え片部４２と支持片部３９とで、棟側に向かって開口した差込溝４３が構成されている。差込溝４３は第１支持部材３ａの長手方向の全長に亘って形成されている。差込溝４３には軒端屋根板２ｃの軒側端部２２が差し込まれている。
【００３６】
押え片部４２は軒端屋根板２ｃの軒側端部２２の表面に沿った板状に形成されており、軒端屋根板２ｃの軒側端部２２を表側から押える。なお、押え片部４２は軒端屋根板２ｃの軒側端部２２に接することで屋根下地１から離れる方向に移動することを規制する機能を備えていればよく、施工状態においては、軒側端部２２に対して屋根下地１に近づく方向に力を加えるものであってもよいし、加えないものであってもよい。
【００３７】
（断熱材）
図１に示すように、各屋根板２の裏側には、断熱材５が設けられている。本実施形態の断熱材５は、発泡プラスチックからなる発泡断熱材であって、ポリスチレン樹脂から形成されている。なお、断熱材５は、ウレタン樹脂又はポリエチレン樹脂等のポリスチレン以外の樹脂から形成されてもよい。
【００３８】
本実施形態の建築板の施工構造は、断熱材５として、軒端屋根板２ｃの裏側に設けられた第１断熱材５ａと、他の屋根板２の裏側に設けられた第２断熱材５ｂとを備えている。各断熱材５ａ，５ｂは、ルーフィング９を介して屋根下地１上に設置されている。
【００３９】
（第１断熱材）
軒端屋根板２ｃは第１断熱材５ａを介して屋根下地１上に施工されており、これにより屋根において軒端屋根板２ｃが施工された部分の断熱性が高くなっている。また、第１断熱材５ａはクッション性を有するため、屋根板２の施工時や改修時において作業者によって軒端屋根板２ｃが踏まれる等して、軒端屋根板２ｃが割れることが抑制される。
【００４０】
第１断熱材５ａは、軒方向に延びた長尺状に形成されている。第１断熱材５ａの軒方向の幅は、軒端屋根板２ｃの軒方向の幅と比較して、長くてもよいし、短くてもよい。また、第１断熱材５ａの軒方向の幅は、軒端屋根板２ｃの軒方向の幅と同じであってもよい。
【００４１】
第１断熱材５ａの軒方向と直交する断面の形状は、直角三角形状である。第１断熱材５ａの裏面は、屋根下地１の表面と第１支持部材３ａの設置片部３６の表面に沿っている。第１断熱材５ａの軒側端面は、第１支持部材３ａの棟側の立上片部３８の棟側面に沿っている。第１断熱材５ａの表面は、軒端屋根板２ｃの裏面に沿っている。第１断熱材５ａは、軒方向に見て、屋根下地１、支持部材３、軒端屋根板２ｃで囲まれた領域の全体に亘っている。
【００４２】
（第２支持部材）
軒端屋根板２ｃ以外の屋根板２の軒側端部２２の裏側に設けられた第２支持部材３ｂは、第１支持部材３ａと略同じ構成を有している。このため、以下では第２支持部材３ｂにおいて第１支持部材３ａと共通する構成には同一の符号を付して重複する説明を省略する。
【００４３】
図３Ｂに示すように、第２支持部材３ｂは、軒側屋根板２ａと棟側屋根板２ｂの軒側端部２２との間に位置している。第２支持部材３ｂの支持部３３は、棟側屋根板２ｂの軒側端部２２を裏側から持ち上げて支持している。これにより、棟側屋根板２ｂは外観上厚く見える。本実施形態の第２支持部材３ｂの立ち上がり部３４は、棟側屋根板２ｂの軒側端部２２及びこの裏側に形成された隙間８（軒側屋根板２ａと棟側屋根板２ｂの間）を軒側からカバーする。これにより、棟側屋根板２ｂはより一層厚く見える。
【００４４】
図２に示すように、第２支持部材３ｂの軒方向の幅は、軒側屋根板２ａの軒方向の幅、及び棟側屋根板２ｂの軒方向の幅と同じである。
【００４５】
複数の第２支持部材３ｂの中には、軒方向に並んだ複数の軒側屋根板２ａに亘る第２支持部材３ｂと、軒方向に並んだ複数の棟側屋根板２ｂに亘る第２支持部材３ｂとがある。すなわち、複数の第２支持部材３ｂの中には、軒側屋根板２ａからこの軒側屋根板２ａに軒方向において隣接した軒側屋根板２ａ（隣接建築板）まで延びた第２支持部材３ｂと、棟側屋根板２ｂ及びこの棟側屋根板２ｂに軒方向において隣接した棟側屋根板２ｂまで延びた第２支持部材３ｂとがある。
【００４６】
図３Ｂに示すように、第２支持部材３ｂの一対の設置片部３５，３６は、軒側屋根板２ａの表面に沿っている。本実施形態の第２支持部材３ｂは、図１に示すように、支持部３３の高さ（設置片部３５から支持片部３９までの距離）が、第１支持部材３ａの支持部３３の高さよりも短くなっており、これにより、棟側屋根板２ｂの軒側端部２２の屋根下地１からの高さは、軒端屋根板２ｃの軒側端部２２の屋根下地１からの高さと略同じになっている。
【００４７】
図３Ｂに示すように、第２支持部材３ｂの棟側の設置片部３６に形成された複数の挿通孔４０の各々には、釘又はねじからなる固着具７が挿通されている。固着具７は、軒側屋根板２ａの重なり部２０に予め形成された固着具用孔２４と、軒側屋根板２ａの裏側に配置された断熱材５とを通して屋根下地１に打入されている。これにより、第２支持部材３ｂ及び軒側屋根板２ａは、屋根下地１に対して固定されている。
【００４８】
第２支持部材３ｂの挿通孔４０は、軒側屋根板２ａの固着具用孔２４よりも軒方向の寸法が長い孔であることが好ましい。例えば軒側屋根板２ａの固着具用孔２４は、固着具７の軸部と略同じ径の円孔であり、第２支持部材３ｂの挿通孔４０は、軒方向に延びた長孔である。この場合、作業者が固着具７を用いて第２支持部材３ｂを屋根下地１に固定するにあたって、軒側屋根板２ａの固着具用孔２４と、軒側屋根板２ａに載置された第２支持部材３ｂの挿通孔４０との位置合わせを行う場合に、挿通孔４０よりも大きな固着具用孔２４を通して挿通孔４０を視認し易くなる。このため、作業者は前述の位置合わせを容易に行うことができる。
【００４９】
第２支持部材３ｂの支持片部３９は、棟側屋根板２ｂの裏面に沿っている。棟側屋根板２ｂの軒側端部２２は、第２支持部材３ｂの支持片部３９に載置されることで、軒側屋根板２ａの表面から離れた位置で支持されている。
【００５０】
本実施形態の第２支持部材３ｂは、図１に示すように、棟側屋根板２ｂを軒端屋根板２ｃと平行になるように支持している。
【００５１】
図３Ｂに示すように、第２支持部材３ｂの立ち上がり片部４１は、棟側屋根板２ｂ及び隙間８の軒側に位置し、棟側屋根板２ｂの軒側端部２２及び隙間８を軒側からカバーしている。第２支持部材３ｂに形成された差込溝４３には、棟側屋根板２ｂの軒側端部２２が差し込まれている。
【００５２】
第２支持部材３ｂの押え片部４２は、棟側屋根板２ｂの軒側端部２２の表面に沿い、棟側屋根板２ｂの軒側端部２２を表側から押える。
【００５３】
（第２断熱材）
図１に示すように、棟側屋根板２ｂ（軒端屋根板２ｃを除く屋根板２）は、第２断熱材５ｂを介して軒側屋根板２ａ上に設置されており、これにより屋根における棟側屋根板２ｂが設置された部分の断熱性が高くなっている。また、第２断熱材５ｂはクッション性を有するため、屋根板２の施工時や改修時において作業者により棟側屋根板２ｂが踏まれる等して、棟側屋根板２ｂや軒側屋根板２ａが割れることが抑制される。
【００５４】
第２断熱材５ｂは、軒方向に延びた長尺状に形成されている。第２断熱材５ｂの軒方向の幅は、棟側屋根板２ｂの軒方向の幅と同じであってもよい。また、第２断熱材５ｂの軒方向の幅は、棟側屋根板２ｂの軒方向の幅と比較して、長くてもよいし、短くてもよい。
【００５５】
図１に示すように、本実施形態の第２断熱材５ｂは、軒棟方向に隣り合う軒側屋根板２ａと棟側屋根板２ｂとの重なり部分に挟まれた第１部分５１と、第１部分５１とは別に第１部分５１に隣接して配置され、第１部分５１の表側の建築板（棟側屋根板２ｂ）と屋根下地１との間に配置される第２部分５２とを備えている。
【００５６】
第１部分５１は、軒方向と直交する断面の形状が、軒側屋根板２ａの表面に沿って延びた矩形状である。第１部分５１の裏面は、軒側屋根板２ａの表面に沿い、第１部分５１の表面は、棟側屋根板２ｂの裏面に沿っている。第１部分５１の軒側端面は、第２支持部材３ｂの立上片部３８に沿っている。第１部分５１の棟側端は、軒側屋根板２ａの棟側端と軒棟方向において同位置にあり、第１部分５１の棟側端面は、軒側屋根板２ａの棟側端面と面一になるように配置されている。
【００５７】
第１部分とは別部材である第２部分５２は、軒方向と直交する断面の形状が、直角三角形状である。第２部分５２の裏面は、屋根下地１の表面に沿っている。第２部分５２の軒側端面は、軒側屋根板２ａの棟側端面及び第１部分５１の棟側端面に沿っている。第２部分５２の表面は、棟側屋根板２ｂの裏面に沿っている。
【００５８】
第１部分５１の棟側端面と第２部分５２の軒側端面とは接しており、軒方向に見て、第１部分５１及び第２部分５２は、軒側屋根板２ａ、支持部材３、棟側屋根板２ｂ及び屋根下地１で囲まれた領域の全体に亘っている。
【００５９】
本実施形態では、第１部分５１と第２部分５２とが別部材であるので、第１部分５１及び第２部分５２のそれぞれをシンプルな形状にすることができる。
【００６０】
また、本実施形態の第２断熱材５ｂにあっては、棟側屋根板２ｂの軒棟方向幅が異なる場合、第２部分５２として軒棟方向幅が同じ共通の第２部分５２を用い、かつ第１部分５１として棟側屋根板２ｂの軒棟方向幅に応じたサイズの第１部分５１を用いることで、棟側屋根板２ｂの裏側の略全体を断熱することができる。
【００６１】
（排水構造）
ところで、本実施形態の建築板の施工構造においては、雨水が、屋根板２の軒側端部２２と、当該屋根板２を支持する支持部材３の押え片部４２との間から、当該支持部材３の立ち上がり部３４と支持部３３との間に入り込む可能性がある。このため、本実施形態の各支持部材３には、図４Ｃに示すように、軒側の設置片部３６から立ち上がる立ち上がり片部４１の下端部に、立ち上がり部３４と支持部３３との間に入り込んだ雨水を排出するための水抜き孔４５が形成されている。
【００６２】
本実施形態では、図４Ａに示すように、立ち上がり片部４１の下端部において軒方向の両端部を除いた部分に、棟側に凹んだ凹部４６が形成されている。凹部４６の奥部４７は、図４Ｄに示すように、下端に近い部分ほど棟側に位置するように傾斜した板状に形成されている。本実施形態では、奥部４７に、軒方向に並んだ複数の水抜き孔４５が形成されている。
【００６３】
立ち上がり部３４と支持部３３との間に入り込んだ雨水は、水抜き孔４５から立ち上がり部３４の軒側に排出される。ここで、第２支持部材３ｂが支持する棟側屋根板２ｂの軒側には、図２Ａ及び図２Ｂに示すように、下段の複数の軒側屋根板２ａが軒方向に突付けて施工されているが、第２支持部材３ｂには、水抜き孔４５が軒方向において突付け部分２５からずれた位置に形成されている。このため、水抜き孔４５から排出された雨水は、突付け部分２５に至り難い。従って、水抜き孔４５から排出された雨水が、突付け部分２５から断熱材５や屋根下地１に浸入するといった事態が生じ難い。
【００６４】
また、立ち上がり部３４と支持部３３との間に入り込んだ、軒側の設置片部３５上の雨水は、水抜き孔４５から吹き込んだ風により棟側に流れる可能性があるが、本実施形態の支持部材３は、図３Ａ及び図３Ｂに示すように、立ち上がり部３４の棟側に、支持部３３の軒側の立上片部３７が位置するので、前記吹き込みにより軒側の設置片部３５上の雨水が棟側に向かって流れたとしても、この雨水は立上片部３７で堰き止められる。このため、設置片部３５上の雨水が、棟側の設置片部３６の挿通孔４０に至り、当該挿通孔４０及び屋根板２の固着具用孔２４を通って断熱材５や屋根下地１に浸入するといった事態が生じ難い。
【００６５】
（施工）
複数の屋根板２の施工は、例えば以下のように行われる。まず、作業者は、複数の第１支持部材３ａを施工する。この際、作業者は、第１支持部材３ａを屋根下地１上に載置し、この後、複数の固着具６を第１支持部材３ａの設置片部３６の表側から複数の挿通孔４０を通して屋根下地１に打入する。これにより、第１支持部材３ａは屋根下地１に固定される。
【００６６】
次に作業者は、複数の第１断熱材５ａを施工する。この際、作業者は、第１断熱材５ａの軒側端面を第１支持部材３ａの棟側の立上片部３８に沿わせて、第１断熱材５ａを屋根下地１に載置する。
【００６７】
次に作業者は、複数の軒端屋根板２ｃを施工する。この際、作業者は、軒端屋根板２ｃの軒側端部２２を第１支持部材３ａの差込溝４３に棟側から差し込み、軒端屋根板２ｃを第１支持部材３ａの支持片部３９及び第１断熱材５ａに載置する。
【００６８】
次に作業者は、複数の第２支持部材３ｂを施工する。この際、作業者は、軒端屋根板２ｃの重なり部２０に第２支持部材３ｂを載置し、この後、複数の固着具７を、当該第２支持部材３ｂの設置片部３６の表側から、複数の挿通孔４０、複数の固着具用孔２４及び第１断熱材５ａを通して屋根下地１に打入する。これにより、第２支持部材３ｂ及び軒側屋根板２ａは、屋根下地１に固定される。
【００６９】
次に作業者は、複数の第２断熱材５ｂを施工する。この際、作業者は、図１に示す第２断熱材５ｂの第１部分５１の軒側端面を第２支持部材３ｂの棟側の立上片部３８に沿わせて、第１部分５１を軒端屋根板２ｃの重なり部２０に載置すると共に、第２部分５２の軒側端面を第１部分５１の棟側端面に沿わせて、第２部分５２を屋根下地１に載置する。
【００７０】
次に作業者は、軒端屋根板２ｃの一段棟側の複数の屋根板２を施工する。この際、作業者は、図３Ｂに示すように軒端屋根板２ｃの棟側に隣接する屋根板２の軒側端部２２を第２支持部材３ｂの差込溝４３に棟側から差し込み、この屋根板２を第２支持部材３ｂの支持片部３９、第２断熱材５ｂの第１部分５１及び第２部分５２に載置する。
【００７１】
そして、以後、作業者は、上述と同様に、第２支持部材３ｂの施工、第２断熱材５ｂの施工及び屋根板２の施工を順に繰り返し行い、これにより屋根板２を軒先から棟に亘るまで葺設する。
【００７２】
（補足）
以上説明した実施形態は、適宜設計変更可能である。例えば、屋根板２及び支持部材３の各々の材質は、適宜変更可能である。また、支持部材３は軒方向に短尺のピース材であってもよい。また、支持部材３の押え片部４２や水抜き孔４５は省略可能である。
【００７３】
また、本実施形態の支持部材３は屋根板２を持ち上げて支持する支持部３３を備えているが、支持部材３は支持部３３を備えていなくてもよく、また、支持部材３は省略してもよい。この場合、屋根板２は支持具等の他の支持具によって支持される。
【００７４】
また、第２断熱材５ｂは第１部分５１と第２部分５２とが一体に形成されてもよい。また、第１断熱材５ａは複数の断熱材５で構成されてもよい。
【００７５】
また、本実施形態の建築板は、屋根板２であるが、これに限定されず、例えば建物の外壁を構成する壁板であってもよい。また、建築板は外装材に限られず、建物の内壁を構成する壁板等であってもよい。
【００７６】
（効果）
以上説明した実施形態の建築板の施工構造は、複数の建築板が階段状に重ねられて構造物下地に施工された建築板の施工構造であって、以下に示す特徴を有する。建築板の施工構造は、建築板の裏側に配置された断熱材５を備える。以下、この特徴を有する建築板の施工構造を第１の態様の建築板の施工構造という。
【００７７】
第１の態様の建築板の施工構造にあっては、前記建築板の裏側に配置された断熱材５により、断熱性が高まる。また、断熱材５のクッション性によって、建築板の施工時や改修時において作業者により建築板が踏まれる等しても、建築板が割れ難くなる。
【００７８】
また、前記実施形態の建築板の施工構造は、第１の態様の建築板の施工構造が有する特徴に加えて、以下に示す付加的な特徴を有する。断熱材５は、階段方向に隣り合う建築板の重なり部分に挟まれた第１部分５１と、第１部分５１とは別に第１部分５１に隣接して配置され、第１部分５１の表側の建築板と構造物下地との間に配置される第２部分５２と、を有する。以下、この建築板の施工構造を第２の態様の建築板の施工構造という。
【００７９】
第２の態様の建築板の施工構造にあっては、第１部分５１により、階段方向に隣り合う建築板の重なり部分の間を断熱すると共に、第２部分により、第１部分５１の表側の建築板と構造物下地との間を断熱することができる。また、断熱材５の第１部分５１と第２部分５２とを別部材とすることで、第１部分５１と第２部分５２とのそれぞれをシンプルな形状にして容易に製造することができる。また、第１部分５１として利用される断熱材の階段方向における長さを、第１部分５１の表側の建築板において第１部分５１の裏側の建築板を覆う部分の長さに応じて変更することで、第２部分５２として利用される断熱材として共通のものを利用できる。
【００８０】
また、前記実施形態の建築板の施工構造は、第１又は第２の態様の建築板の施工構造が有する特徴に加えて、以下に示す付加的な特徴を有する。支持部材３は、断熱材５の裏側に配置された建築板上に設置されて断熱材５の表側の建築板において断熱材５の裏側に配置された建築板と重なる端部２２を裏側から持ち上げて支持する支持部３３と、断熱材５及び断熱材５の表側に配置された建築板の端部２２と対向するように支持部３３から立ち上がる立ち上がり部３４とを備える。以下、この建築板の施工構造を第３の態様の建築板の施工構造という。
【００８１】
第３の態様の建築板の施工構造にあっては、支持部材３の支持部３３により断熱材５の表側の建築板の端部２２が持ち上げられて支持される。このため、薄く軽量な建築板を用いながら、建築板を厚く見せて、重厚感を得ることができる。また、立ち上がり部３４によって断熱材５の表側の建築板の移動を規制することができる。
【００８２】
また、前記実施形態の建築板の施工構造は、第３の態様の建築板の施工構造が有する特徴に加えて、以下に示す付加的な特徴を有する。立ち上がり部３４に、水抜き孔４５が形成される。以下、この建築板の施工構造を第４の態様の建築板の施工構造という。
【００８３】
第４の態様の建築板の施工構造にあっては、断熱材５の表側の建築板と立ち上がり部３４との間から、立ち上がり部３４と支持部３３との間に入り込んだ雨水を水抜き孔４５から排出できる。また、立ち上がり部３４と支持部３３との間に入り込んだ雨水が、水抜き孔４５から吹き込んだ風により断熱材５側に流れることを支持部３３により抑制することができる。
【００８４】
また、前記実施形態の建築板の施工構造は、第３又は第４の態様の建築板の施工構造が有する特徴に加えて、以下に示す付加的な特徴を有する。立ち上がり部３４と支持部３３との間に端部２２が差込まれている。以下、この特徴を有する建築板の施工構造を第５の態様の建築板の施工構造という。
【００８５】
第５の態様の建築板の施工構造にあっては、立ち上がり部３４と支持部３３との間に建築板の端部２２を差し込むことで、建築板を施工することができる。
【００８６】
また、前記実施形態の建築板の施工構造は、第３〜第５のいずれかの態様の建築板の施工構造が有する特徴に加えて、以下に示す付加的な特徴を有する。支持部材３は、階段方向と直交する方向に長尺状に延びる。立ち上がり部３４は、前記直交する方向に並ぶ複数の建築板の各端部２２を表側から押さえる。以下、この建築板の施工構造を第６の態様の建築板の施工構造という。
【００８７】
第６の態様の建築板の施工構造にあっては、支持部材３により、前記直交する方向に並ぶ複数の建築板における下段の建築板と重なる端部２２を表側から押えて固定することができる。
【符号の説明】
【００８８】
１  屋根下地（構造物下地）
２  屋根板（建築板）
２２  屋根板の軒側端部
２ａ  軒側屋根板
２ｂ  棟側屋根板
３  支持部材
３３  支持部
３４  立ち上がり部
４５  水抜き孔
５  断熱材
５１  第１部分
５２  第２部分
【図１】
0006989290.tif 000002
【図２】
0006989290.tif 000003
【図３】
0006989290.tif 000004
【図４】
0006989290.tif 000005